(57)【要約】【課題】  部屋いっぱいに散らかって掃除が大変な犬や猫などの抜け毛を散らかる前に簡単清潔に処理することが出来る器具を提供する。【解決手段】化学製品等で出来た容器に掃除機を取り付け、その反対側に空気の取り入れ穴を設け、容器内にペットを入れてペットの体を手で撫でたり又はブラシなどでペットの体毛を解かしたりすることで、抜けた体毛を取り付けた掃除機で吸引させ容器内で体毛の処理が出来るようにする。【選択図】図１
0003158982.tif 000002
【実用新案登録請求の範囲】
【請求項１】
猫または犬が入る大きさのドーム型又は円筒状、角型、球型、卵型（形は任意のもの）の透明の化学樹脂製品類又はガラス類で出来た容器の左右側面に人間の両手が入れられる直径１３センチほどの穴計４箇所（片面２箇所ずつ）を開け、穴をスライドで開閉できる蓋を取り付けた容器。
【請求項２】
請求項１の容器の前面に
（１）空気を取り入れるための数個の穴を開けたドアを蝶番で取り付け、蝶番の反対側に容器の外でロックできる空錠を取り付ける。
（２）前容器の後面に、掃除機のホースを取り付けることができる吸口部を取り付けた円錐状のドアを蝶番で取り付け蝶番の反対側に外からロックができる空錠を取り付ける。
円錐状のドアの蝶番は、ドアが容器から取り外しが可能な蝶番とする。
【考案の詳細な説明】
【技術分野】
【０００１】  本考案は、季節の変わり目に毛が生え替わる、猫や犬などの抜け毛を簡単に除去し処理することが出来る器具に関するものである。
【背景技術】
【０００２】  猫や犬の抜け毛を体からごく簡単に除去して収集処理する技術は過去になく、本考案は全く新しい技術である。
【考案の開示】
【考案が解決しようとする課題】
【０００３】  猫や犬、とりわけ家の中で飼っているペットの毛は、生え替わる時期になると抜け毛として自然に体から落下して部屋に散逸し、掃除が大変ばかりでなく、不衛生にもなりこの抜け毛の処理がペットを飼っている人の悩みの種となっている。
本考案は、ペットを器具の中に入れて、空いている穴から手を差し入れ、ペットの体表を手袋などをした手で直接撫でたりブラッシング等をし、抜け毛を体表から除去して、器具の後方に取り付けた掃除機により除去した抜け毛を吸い取る方法で、抜け毛が体から抜け落ちる前に効果的に除去収集し、処理することにより、抜け毛の散逸を最小限に食い止め人間の居住空間を衛生的に保つための器具である。
【考案の効果】
【０００４】  猫や犬、とりわけ家の中で飼っているペットの毛を、体から抜け落ちる前に、本器具を使用して取り除くことにより、抜け毛の散逸を防ぎ、衛生的な住環境を保つことが出来る。
【図面の簡単な説明】
【０００５】
【図１】  本考案の側面図である。
【図２】  本考案の正面図である。
【図３】  本考案の後面図である。
【考案を実施するための形態】
【０００６】  猫や犬などを入れることが出来る筒状またはドーム状（トンネル状）或いは角状の透明プラスチック（長さ、幅等、大きさは各ペットの大きさによるので、任意の大きさとする）等に透明の入り口ドアを設け、同ドアに空気を取り入れる直径数センチの穴数カ所を開ける。反対側に円錐状またはそれに類するドアを取り付け、円錐状等ドアの円錐の頂点に掃除機のホース先端を差し込める口を取り付ける。ドーム状のプラスチック等には手が入る大きさの穴を左右２箇所ずつ開けておき、各穴に開閉できるスライド式のフタを取り付ける。（手を入れる片方の穴を開けたなら反対側の穴２箇所は空気が入らないように閉じておくため）掃除機のホース先端を円錐状の先端へ取り付けた口に挿入し、ペットをドーム状プラスチックの中へ入れて掃除機を作動させるとともにプラスチックに開けられた２箇所の穴に両手を差し入れ、ペットの体表を直接撫でたり、ブラシなどで毛を解かしてやり、その際抜けた体毛が円錐状の口から掃除機に吸い込まれ部屋の中を汚すことなくペットの体毛が処理できる。
【符号の説明】
【０００７】ａ  ペットを入れる容器
ｂ  容器側面の手を差し入れる穴
ｃ  ｂの穴を塞ぐためのスライド式の蓋
ｄ  容器の前面のドア
ｅ  容器にｄのドアを取り付ける蝶番
ｆ  容器後部の円錐状のドア
ｇ  後部ドア（ｆ）の空錠
ｈ  掃除機のホースを取り付けるための吸口部
ｉ  掃除機のホース
ｊ  ｄの正面ドアに開けられた空気を入れるための穴
ｋ  正面ドアおよび後部ドアを外側から閉める空錠
ｌ  後部ドアのドアを取り外しできる蝶番
【図１】
0003158982.tif 000003
【図２】
0003158982.tif 000004
【図３】
0003158982.tif 000005
【手続補正書】
【提出日】平成21年10月19日(2009.10.19)
【手続補正１】
【補正対象書類名】明細書
【補正対象項目名】全文
【補正方法】変更
【補正の内容】
【考案の詳細な説明】
【技術分野】
【０００１】  本考案は、季節の変わり目に毛が生え替わる、犬や猫などの抜け毛を簡単に除去し、処理するための器具に関するものである。
【背景技術】
【０００２】  今まで、犬や猫の抜け毛を除去する器具は、櫛もしくはブラシ類程度しかなく、本考案は全く新しい技術である。
【考案の開示】
【考案が解決しようとする課題】
【０００３】  猫や犬など、家の中で飼っているペットの毛は、生え替わる時期になると抜け毛として自然に体から落下して部屋に散逸し、掃除が大変ばかりでなく不衛生にもなり、この抜け毛の処理がペットを飼っている人の悩みの種となっている。本考案は、ペットを器具の中に入れ、器具の側面に開けた穴から手を差し入れ、体表を手で撫でたりブラッシングすることで抜け毛として落下する前の毛をあらかじめ体表から除去し、器具の正面に取り付けた掃除機により除去した抜け毛を吸い取る方法で、抜け毛を効果的に除去収集し、処理することで抜け毛の散逸を最小限に食い止めて人間の住空間を衛生的に保つための器具である。
【課題を解決するための手段】
【０００４】  犬又は猫が入る大きさの透明の化学樹脂製品或いはガラス製の、ドーム型または円筒型或いは卵型の容器の両側面に人間の手を入れることが出来る穴２箇所を開け、穴はスライドで開閉できる蓋を取り付け、前記容器の正面に掃除機のホースを取り付けることが出来る吸口部を取り付けた円錐状のドアを取り付け、円錐状ドア反対側の後面に、空気を取り入れることが出来る穴数カ所を開けたドアを取り付け、正面および後面のドアを蝶番で開閉出来るようにさせ、蝶番の反対側に外側からロックできる空錠を取り付ける。
【考案を実施するための形態】
【０００５】  容器の円錐形ドアの先に掃除機を取り付け、犬又は猫を容器の中に入れ、正面および後面のドアを閉めて両面ドアを外からロックし、掃除機のスイッチをＯＮにした状態で、容器の側面の穴から人間が手を差し入れ、犬又は猫の体表を撫でたりブラッシングして抜け毛を掃除機に吸い取らせ、抜け毛として落ちる前の犬や猫などの体毛を除去処理する。
【図面の簡単な説明】
【０００６】
【図１】  本考案の右側面図である。
【図２】  考案の左側面図である。
【図３】  本考案の正面図である。
【図４】  本考案の後面図である。
【符号の説明】
【０００７】  １  器具本体
２  スライド式蓋のレール
３  後部ドア
４  蝶番
５  手を差し入れる穴
６  スライド式の蓋
７  床板
８  空錠
９  円錐形ドア
１０  掃除機ホース取り付け口
１１  空気取り入れ口
【手続補正２】
【補正対象書類名】実用新案登録請求の範囲
【補正対象項目名】全文
【補正方法】変更
【補正の内容】
【実用新案登録請求の範囲】
【請求項１】
猫又は犬が入る大きさの透明の化学樹脂製のドーム型、円筒型、または卵型の容器の左右側面に人間の手を入れることが出来る円形の穴２箇所を開け、穴はスライドで開閉できる蓋を取り付ける。
【請求項２】
前記容器の正面に、掃除機のホースを取り付けることができる吸口部を取り付けた円錐状のドアを蝶番で取り付け、蝶番の反対側に外側からロック出来る空錠を取り付け、円錐状のドアの反対面に空気を取り入れるための数個の穴を開けたドアを蝶番で取り付け、同じく蝶番の反対側に外側からロックが出来る空錠を取り付け、円錐状のドアの蝶番は、ドアが容器本体から取り外しが可能な蝶番とした請求項１に記載の容器。
【手続補正３】
【補正対象書類名】図面
【補正対象項目名】全図
【補正方法】変更
【補正の内容】
【図１】
0003158982.tif 000006
【図２】
0003158982.tif 000007
【図３】
0003158982.tif 000008
【図４】
0003158982.tif 000009
【手続補正書】
【提出日】平成22年2月1日(2010.2.1)
【手続補正１】
【補正対象書類名】実用新案登録請求の範囲
【補正対象項目名】全文
【補正方法】変更
【補正の内容】
【実用新案登録請求の範囲】
【請求項１】
猫または犬が入る大きさの透明の化学樹脂製のドーム型、円筒形、または卵型の容器の左右側面に人間の手を入れることが出来る円形の穴２箇所を開け、穴はスライドで開閉できる蓋を取り付けた容器。
【請求項２】
前記容器の正面に、掃除機のホースを取り付けることができる吸口部を取り付けた円錐状のドアを蝶番で取り付け、蝶番の反対側に外側からロックできる空錠を取り付け、円錐状のドアの反対面に空気を取り入れるための数個の穴を開けたドアを蝶番で取り付け、同じく蝶番の反対側に外側からロックが出来る空錠を取り付け、円錐状のドアの蝶番は、ドアが容器本体から取り外し可能な蝶番とした請求項１に記載の容器。